(57)【要約】【課題】特急券の料金を徴収すべく、社内改札を行わなければならなかった。【解決手段】（１）不揮発性メモリを有するカードと、（２）不揮発性メモリリーダ／ライタと、精算部と、ゲートと、を有する、特急列車内に設けられている乗車管理装置と、を含み、前記カードの前記不揮発性メモリは、乗客が特急券を購入しているか否かを示すデータと、電子マネーとを記憶しており、前記乗客が前記特急列車に乗車しようとする場合、前記不揮発性メモリリーダ／ライタは、前記カードの前記不揮発性メモリから前記データを読み出し、前記精算部は、当該データに基づき、前記乗客が前記特急券を購入していないと判断するとき、前記特急券の料金を前記電子マネーにより精算した後、前記ゲートを開扉する。【選択図】図１
2009193403.tif 000002
【特許請求の範囲】
【請求項１】
（１）不揮発性メモリを有するカードと、
（２）不揮発性メモリリーダ／ライタと、精算部と、ゲートと、を有する、特急列車内に設けられている乗車管理装置と、を含み、
前記カードの前記不揮発性メモリは、乗客が特急券を購入しているか否かを示すデータと、電子マネーとを記憶しており、
前記乗客が前記特急列車に乗車しようとする場合、前記不揮発性メモリリーダ／ライタは、前記カードの前記不揮発性メモリから前記データを読み出し、前記精算部は、当該データに基づき、前記乗客が前記特急券を購入していないと判断するとき、前記特急券の料金を前記電子マネーにより精算した後、前記ゲートを開扉することを特徴とする乗車管理システム。
【請求項２】
（１）不揮発性メモリを有するカードと、
（２）不揮発性メモリリーダ／ライタと、精算部と、ゲートと、を有する、普通車両及び特別車両間に設けられている乗車管理装置と、を含み、
前記カードの前記不揮発性メモリは、乗客が特別車両券を購入しているか否かを示すデータと、電子マネーとを記憶しており、
前記乗客が前記普通車両から前記特別車両へ乗車変更しようとする場合、前記不揮発性メモリリーダ／ライタは、前記カードの前記不揮発性メモリから前記データを読み出し、前記精算部は、当該データに基づき、前記乗客が前記特別車両券を購入していないと判断するとき、前記特別車両券の料金を前記電子マネーにより精算した後、前記ゲートを開扉することを特徴とする乗車管理システム。
【請求項３】
前記不揮発性メモリリーダ／ライタは、前記精算の際、前記特急券を購入した旨を前記不揮発性メモリに書き込むことを特徴とする請求項１記載の乗車管理システム。
【請求項４】
前記不揮発性メモリリーダ／ライタは、前記精算の際、前記特別車両券を購入した旨を前記不揮発性メモリに書き込むことを特徴とする請求項２記載の乗車管理システム。
【請求項５】
前記不揮発性メモリは、ＦｅＲＡＭであることを特徴とする請求項３、４記載の乗車管理システム。
【請求項６】
リーダ／ライタと清算部とを有する乗車管理装置を含み、
前記リーダ／ライタは、乗客が所有しているカードから、当該乗客が特急券又は特別車両券を購入しているか購入していないかのデータを読み出し、
前記清算部は、前記データが購入していないという場合は、前記特急券又は特別車両券の料金を前記カードに記憶された電子マネーにより清算することを特徴とする乗車管理システム。
【発明の詳細な説明】
【技術分野】
【０００１】
本発明は、乗車管理システムに関する。
【背景技術】
【０００２】
従来、列車を運行する会社は、下記の特許文献１に記載されたような車上用自動改札装置により、目的駅までの普通乗車券を持っていない乗客が降車する際に不足分の金額を精算する。
【０００３】
【特許文献１】特開２００７−２６４８９８号公報
【発明の開示】
【発明が解決しようとする課題】
【０００４】
しかしながら、前記会社は、例えば、特急券を必要とする特急列車に当該特急券を持たずに乗車した乗客については、乗務員が、当該乗客から前記特急券の料金を徴収すべく、社内改札を行わなければならないという問題があった。
【課題を解決するための手段】
【０００５】
本発明は、上記した課題を解決すべく、以下の適用例により実現される。
【０００６】
［適用例１］
（１）不揮発性メモリを有するカードと、
（２）不揮発性メモリリーダ／ライタと、精算部と、ゲートと、を有する、特急列車内に設けられている乗車管理装置と、を含み、
前記カードの前記不揮発性メモリは、乗客が特急券を購入しているか否かを示すデータと、電子マネーとを記憶しており、
前記乗客が前記特急列車に乗車しようとする場合、前記不揮発性メモリリーダ／ライタは、前記カードの前記不揮発性メモリから前記データを読み出し、前記精算部は、当該データに基づき、前記乗客が前記特急券を購入していないと判断するとき、前記特急券の料金を前記電子マネーにより精算した後、前記ゲートを開扉することを特徴とする乗車管理システム。
【０００７】
［適用例２］
（１）不揮発性メモリを有するカードと、
（２）不揮発性メモリリーダ／ライタと、精算部と、ゲートと、を有する、普通車両及び特別車両間に設けられている乗車管理装置と、を含み、
前記カードの前記不揮発性メモリは、乗客が特別車両券を購入しているか否かを示すデータと、電子マネーとを記憶しており、
前記乗客が前記普通車両から前記特別車両へ乗車変更しようとする場合、前記不揮発性メモリリーダ／ライタは、前記カードの前記不揮発性メモリから前記データを読み出し、前記精算部は、当該データに基づき、前記乗客が前記特別車両券を購入していないと判断するとき、前記特別車両券の料金を前記電子マネーにより精算した後、前記ゲートを開扉することを特徴とする乗車管理システム。
【０００８】
［適用例３］
前記不揮発性メモリリーダ／ライタは、前記精算の際、前記特急券を購入した旨を前記不揮発性メモリに書き込むことを特徴とする適用例１の乗車管理システム。
【０００９】
［適用例４］
前記不揮発性メモリリーダ／ライタは、前記精算の際、前記特別車両券を購入した旨を前記不揮発性メモリに書き込むことを特徴とする適用例２の乗車管理システム。
【００１０】
［適用例５］
前記不揮発性メモリは、ＦｅＲＡＭであることを特徴とする適用例３、４の乗車管理システム。
［適用例６］
リーダ／ライタと清算部とを有する乗車管理装置を含み、
前記リーダ／ライタは、乗客が所有しているカードから、当該乗客が特急券又は特別車両券を購入しているか購入していないかのデータを読み出し、
前記清算部は、前記データが購入していないという場合は、前記特急券又は特別車両券の料金を前記カードに記憶された電子マネーにより清算することを特徴とする乗車管理システム。
【発明を実施するための最良の形態】
【００１１】
実施例の乗車管理システムについて図面を参照して説明する。
【００１２】
《構成》
図１は、実施例の乗車管理システムの構成を示し、図２は、実施例の乗車管理装置の構成を示し、図３は、実施例のカードの構成を示す。実施例の乗車管理システムは、図１（Ａ）、（Ｂ）に示されるように、乗車管理装置Ｄと、カードＣとを含む。
【００１３】
〈乗車管理装置〉
乗車管理装置Ｄは、図１（Ａ）に示されるように、普通乗車券及び特急券を必要とする特急列車ＥＸ内における、出入口扉の付近に設けられており、また、図１（Ｂ）に示されるように、普通乗車券のみで乗車することができる普通車両ＬＣと、当該普通車両ＬＣに連結されている、普通乗車券及び特別車両券で乗車することができる特別車両ＥＸとの間の通路中に設けられている。
【００１４】
乗車管理装置Ｄは、特急券又は特別乗車券を購入していない乗客ＰＳが、特急列車ＥＸに乗車するとき、及び、普通車両ＬＣから特別車両ＥＸに乗車変更するときに、特急券又は特別乗車券の料金を徴収すべく、図２に示されるように、制御部ＣＴと、不揮発性メモリリーダ／ライタＲＷと、精算部ＰＹと、ゲートＧＴと、を有する。
【００１５】
制御部ＣＴは、例えば、ＣＰＵからなり、乗車管理装置Ｄの全体の動作を監視し及び制御する。
【００１６】
図３に示されるように、精算部ＰＹは、乗客ＰＳがホームから特急列車ＥＸ（図１（Ａ）に図示。）に乗車しようとするとき、又は、乗客ＰＳが普通車両ＬＣから特別車両ＥＸに乗車変更しようとするとき、不揮発性メモリリーダ／ライタＲＷを用いて、当該乗客ＰＳが携帯するカードＣ内の不揮発性メモリＦＭから、当該不揮発性メモリＦＭに記憶されている普通乗車券のデータＬＣＴ、及び、特急券又は特別乗車券（以下、「特急券等」という。）のデータＥＸＴを読み出し、当該特急券等のデータＥＸＴが「当該乗客ＰＳが特急券等を購入していない。」旨を示すと、当該特急券等の精算を行うべく、前記不揮発性メモリリーダ／ライタＲＷを用いて、不揮発性メモリＦＭの電子マネーＥＭから、前記特急券等の料金を徴収し、代わりに、特急券等のデータＥＸＴとして「前記乗客ＰＳが特急券等を購入している。」旨を書き込む。
【００１７】
ゲートＧＴは、従来知られた、駅構内の自動改札装置が有するゲートと同様な構成及び機能を有し、基本的に、閉扉状態にある。ゲートＧＴは、制御部ＣＴによる制御下で、乗客ＰＳが普通乗車券及び特急券等を購入済みであるときには、当該乗客ＰＳが特急列車ＥＸに乗車し又は普通車両ＬＣから特別車両ＥＸに乗車変更することを許可すべく開扉し、他方で、乗客ＰＳが普通乗車券のみ購入済みであり、特急券等を未購入であるときには、前記精算を終了した後に開扉する。
【００１８】
〈カード〉
カードＣは、図１（Ａ）、（Ｂ）に示されるように、乗客ＰＳに携帯されており、図３に示されるように、不揮発性メモリＦＭを有する。不揮発性メモリＦＭは、例えば、ＦｅＲＡＭ、ＥＥＰＲＯＭからなり、ホームでの特急列車ＥＸ、並びに、特別車両ＥＸ及び普通車両ＬＣの停車時間が一般に決して長くないことを考慮すると、当該不揮発性メモリＦＭへの書き込みの速度を高速化すべく、ＦｅＲＡＭであることが望ましい。
【００１９】
不揮発性メモリＦＭは、図３に示されるように、普通乗車券のデータＬＣＴと、特急券等のデータＥＸＴと、電子マネーＥＭとを記憶する。
【００２０】
普通乗車券のデータＬＣＴは、普通乗車券が購入されているか否かを示し、同様に、特急券等のデータＥＸＴは、特急券等が購入されているか否かを示し、電子マネーＥＭは、従来知られたと同様に、電子的に決済（精算）可能な機能を有する。
【００２１】
《動作》
図４は、実施例の乗車管理システムの動作を示すフローチャートである。以下、実施例の乗車管理システムの動作について図４のフローチャートを参照して説明する。
【００２２】
ステップＳ１０：乗客ＰＳは、図１（Ａ）に示されるように、ホームから特急列車ＥＸに乗車し、又は、普通車両ＬＣから特別車両ＥＸへ乗車変更しようとする。
【００２３】
ステップＳ１１：乗車管理装置Ｄでは、不揮発性メモリリーダ／ライタＲＷは、乗客ＰＳのカードＣ内の不揮発性メモリＦＭから、特急券等のデータＥＸＴを読み出し、精算部ＰＹは、当該特急券等のデータＥＸＴに基づき、当該乗客ＰＳが特急券等を購入しているか否かを判断する。
【００２４】
ステップＳ１２：精算部ＰＹは、前記乗客ＰＳが特急券等を購入していないと判断すると（「Ｎ」のとき）、不揮発性メモリリーダ／ライタＲＷを用いて、不揮発性メモリＦＭの電子マネーＥＭから特急券等の料金を徴収し、かつ、特急券等のデータＥＸＴに「乗客ＰＳが特急券等を購入している。」旨を書き込み、即ち、特急券等を発券する。
【００２５】
ステップＳ１３：ステップＳ１１で、精算部ＰＹが、前記乗客ＰＳが特急券等を購入していると判断すると（「Ｙ」のとき）、及び、ステップＳ１２で、精算部ＰＹが、特急券等の料金を精算しかつ特急券等を発券すると、制御部ＣＴは、閉扉状態にあるゲートＧＴを開扉することより、乗客ＰＳが特急列車ＥＸに乗車すること、及び、普通車両ＬＣから特別車両ＥＸへ乗車変更することを許可する。
【００２６】
《効果》
上述したように、実施例の乗車管理システムでは、乗車管理装置Ｄの精算部ＰＹが、乗客ＰＳが特急券等を既に購入していると判断するとき、及び、当該乗客ＰＳが特急券等の精算を終えたとき、ゲートＧＴを開扉することにより、当該乗客ＰＳが特急列車ＥＸに乗車すること、及び、普通車両ＬＣから特別車両ＥＸへ乗車変更することを許可することから、従来のような、乗務員が社内改札を行うという煩雑さを回避することが可能となる。
【図面の簡単な説明】
【００２７】
【図１】実施例の乗車管理システムの構成を示す図。
【図２】実施例の乗車管理装置の構成を示す図。
【図３】実施例のカードの構成を示す図。
【図４】実施例の乗車管理システムの動作を示すフローチャート。
【符号の説明】
【００２８】
Ｄ…乗車管理装置、Ｃ…カード、ＥＸ…特急列車（特別車両）、ＬＣ…普通車両、ＣＴ…制御部、ＲＷ…不揮発性メモリリーダ／ライタ、ＰＹ…精算部、ＧＴ…ゲート、ＦＭ…不揮発性メモリ、ＥＭ…電子マネー。
【図１】
2009193403.tif 000003
【図２】
2009193403.tif 000004
【図３】
2009193403.tif 000005
【図４】
2009193403.tif 000006